(57)【要約】【課題】入力信号の種類によらずＥＭＩを低減することができる、半導体装置、映像表示システム、及び信号処理方法を提供する。【解決手段】半導体装置は、第１信号を受信する第１入力部と、第１信号に周波数拡散処理を行う第１処理部と、前記第１信号、または前記第１処理部が前記周波数拡散処理を行った第１信号を出力する第１出力部と、前記第１出力部から出力された第１信号に対して画像処理部により所定の画像処理を施すことにより生成された第２信号を受信する第２入力部と、前記第２信号に対して周波数拡散を行う第２処理部と、イネーブル信号を入力するイネーブル信号入力部と、前記第１処理部により周波数拡散処理が行われた第１信号、及び前記第２処理部により周波数拡散処理が行われた第２信号の一方を前記イネーブル信号に応じた出力信号として出力する第２出力部と、を備える。【選択図】図２
2019082727.tif 000002
【特許請求の範囲】
【請求項１】
第１信号を受信する第１入力部と、
第１信号に周波数拡散処理を行う第１処理部と、
前記第１信号、または前記第１処理部が前記周波数拡散処理を行った第１信号を出力する第１出力部と、
前記第１出力部から出力された第１信号に対して画像処理部により所定の画像処理を施すことにより生成された第２信号を受信する第２入力部と、
前記第２信号に対して周波数拡散を行う第２処理部と、
イネーブル信号を入力するイネーブル信号入力部と、
前記第１処理部により周波数拡散処理が行われた第１信号、及び前記第２処理部により周波数拡散処理が行われた第２信号の一方を前記イネーブル信号に応じた出力信号として出力する第２出力部と、
を備えた半導体装置。
【請求項２】
前記第１処理部が周波数拡散処理を行った第１信号または前記第２処理部が周波数拡散処理を行った第２信号を前記出力信号として選択する選択部と、
前記第１処理部が周波数拡散処理を行った第１信号が前記選択部により選択された場合に、制御信号に応じて前記選択部が選択した出力信号に描画処理を行う描画機能部と、
をさらに備え
前記第２出力部は、前記選択部が前記第１処理部が周波数拡散処理を行った第１信号を出力信号として選択した場合、前記描画機能部が前記描画処理を行った出力信号を出力し、
前記選択部が前記第２処理部が周波数拡散処理を行った第２信号を出力信号として選択した場合、前記第２処理部が周波数拡散処理を行った第２信号を出力信号として出力する、
請求項１に記載の半導体装置。
【請求項３】
前記描画機能部は、前記選択部が出力信号として周波数拡散処理を行った第２信号を選択した場合、前記制御信号に応じた前記描画処理を行わない、
請求項２に記載の半導体装置。
【請求項４】
前記第１信号は、車載カメラの映像信号であり、
前記制御信号は、前記車載カメラが搭載された車輌の予め定められた動作に連動して前記車輌から出力される信号である、
請求項２から請求項３のいずれか１項に記載の半導体装置。
【請求項５】
前記車載カメラは、バックカメラであり、
前記第１信号は、前記車載カメラが搭載された車輌後方を撮像した映像信号であり、
前記予め定められた動作は、前記車輌のバックギヤが入った場合である、
請求項４に記載の半導体装置。
【請求項６】
画像処理を行う画像処理部と、
請求項１から請求項５のいずれか１項に記載の半導体装置と、
前記半導体装置の第２出力部から出力される出力信号に応じた画像を表示する表示部と、
を備えた映像表示システム。
【請求項７】
第１入力部から入力された第１信号に対して、第１処理部により周波数拡散処理を行う工程と、
前記第１信号、または前記第１処理部が前記周波数拡散処理を行った第１信号を、第１出力部から出力する工程と、
前記第１出力部から出力された第１信号に対して画像処理部により所定の画像処理を施すことにより生成された第２信号が、第２入力部に入力される工程と、
前記第２信号に対して、第２処理部により周波数拡散を行う工程と、
イネーブル信号が、イネーブル信号入力部に入力される工程と、
前記第１処理部により周波数拡散処理が行われた第１信号、及び前記第２処理部により周波数拡散処理が行われた第２信号の一方を前記イネーブル信号に応じた出力信号として、第２出力部から出力する工程と、
を備えた信号処理方法。
【発明の詳細な説明】
【技術分野】
【０００１】
本発明は、半導体装置、映像表示システム、及び信号処理方法に関するものである。
【背景技術】
【０００２】
近年、ディスプレイ等の表示装置に映像等の画像を表示させるためのコントローラである半導体装置には、表示装置に表示させるための信号として、異なる周波数の信号が入力されるようになってきている。例えば、車載映像システムは、駐車を円滑に行うためのバックカメラ等のカメラ（モニタ）や、スマホと連携したカーナビ機能等の様々なデバイスから異なる周波数の信号が入力されるようになっている。
【０００３】
このような映像表示システムでは、ＥＭＩ（Ｅｌｅｃｔｒｏ  Ｍａｇｎｅｔｉｃ  Ｉｎｔｅｒｆｅｒｅｎｃｅ）の低減が行われており、例えば、引用文献１には、ＥＭＩを低減するために、システムクロックに周波数拡散機能付ＰＬＬを用いる技術が記載されている。
【先行技術文献】
【特許文献】
【０００４】
【特許文献１】特開２００３−１５０１４３号公報
【発明の概要】
【発明が解決しようとする課題】
【０００５】
上述のような車載映像システムでは、バックカメラやデバイス等から入力された信号に対して、システム外部に設けられたＣＰＵ等の処理部を介して所定の画像処理を行った後、表示手段に表示させる場合がある。この場合は、車載映像表示システムには、外部に設けられたＣＰＵ等の処理部で画像処理が行われたデジタル信号が入力される。
【０００６】
このように映像表示システムには様々な信号が入力されるが、従来の映像表示システムでは、周波数拡散処理が行われない信号を表示手段に出力する場合があった。例えば、特許文献１に記載の技術では、アナログ画像信号に対しては周波数拡散処理を行わずに画像表示部に出力していた。
【０００７】
そのため、ＥＭＩが十分に低減できないという問題があった。
【０００８】
本発明は、上述した問題を解決するために提案されたものであり、入力信号の種類によらずＥＭＩを低減することができる、半導体装置、映像表示システム、及び信号処理方法を提供することを目的とする。
【課題を解決するための手段】
【０００９】
上記目的を達成するために、本開示の半導体装置は、第１信号を受信する第１入力部と、第１信号に周波数拡散処理を行う第１処理部と、前記第１信号、または前記第１処理部が前記周波数拡散処理を行った第１信号を出力する第１出力部と、前記第１出力部から出力された第１信号に対して画像処理部により所定の画像処理を施すことにより生成された第２信号を受信する第２入力部と、前記第２信号に対して周波数拡散を行う第２処理部と、イネーブル信号を入力するイネーブル信号入力部と、前記第１処理部により周波数拡散処理が行われた第１信号、及び前記第２処理部により周波数拡散処理が行われた第２信号の一方を前記イネーブル信号に応じた出力信号として出力する第２出力部と、を備える。
【００１０】
本開示の映像表示システムは、画像処理を行う画像処理部と、本開示の記載の半導体装置と、前記半導体装置の第２出力部から出力される出力信号に応じた画像を表示する表示部と、を備える。
【００１１】
本開示の信号処理方法は、第１入力部から入力された第１信号に対して、第１処理部により周波数拡散処理を行う工程と、前記第１信号、または前記第１処理部が前記周波数拡散処理を行った第１信号を、第１出力部から出力する工程と、前記第１出力部から出力された第１信号に対して画像処理部により所定の画像処理を施すことにより生成された第２信号が、第２入力部に入力される工程と、前記第２信号に対して、第２処理部により周波数拡散を行う工程と、イネーブル信号が、イネーブル信号入力部に入力される工程と、前記第１処理部により周波数拡散処理が行われた第１信号、及び前記第２処理部により周波数拡散処理が行われた第２信号の一方を前記イネーブル信号に応じた出力信号として、第２出力部から出力する工程と、を備える。
【発明の効果】
【００１２】
本発明によれば、入力信号の種類によらずＥＭＩが低減されるという効果を奏する。
【図面の簡単な説明】
【００１３】
【図１】本実施の形態の映像表示システムが搭載された車輌における映像表示システムへの各種信号の入力に関する概要を説明するためのブロック図である。
【図２】本実施の形態の映像表示システムの一例の構成を示す構成図である。
【図３】本実施の形態の車輌においてイネーブル信号が映像表示システムの半導体装置に入力される流れの一例を表す流れ図である。
【図４】本実施の形態の映像表示システムにおいて、入力された映像信号及びデータ信号を出力信号としてディスプレイに出力する動作の流れの一例を表す流れ図である。
【図５】本実施の形態の映像表示システムにおいて、イネーブル信号がタイプＡ（バックカメラから直接入力された映像信号をディスプレイに出力する場合）の場合の信号経路を示した説明図である。
【図６】本実施の形態の映像表示システムにおいて、イネーブル信号がタイプＢ（いずれかのカメラから入力された映像信号をメインプロセッサで画像処理を施した後、ディスプレイに出力する場合）の信号経路を示した説明図である。
【図７】従来の映像表示システムにおいて、イネーブル信号がタイプＢ（いずれかのカメラから入力された映像信号をメインプロセッサで画像処理を施した後、ディスプレイに出力する場合）の信号経路を示した説明図である。
【発明を実施するための形態】
【００１４】
以下では、図面を参照して、本実施の形態を詳細に説明する。
【００１５】
本実施の形態では、本発明を車載カメラで撮像された映像信号を表示部に表示する映像表示システムに適用した場合について説明する。また、本実施の形態では、具体的一例として、車輌がバックする場合（より具体的にはバックギアが入った場合）にバックカメラからの映像を高速にディスプレイに表示して車輌の運転者に対して表示する機能を有する映像表示システムについて説明する。
【００１６】
図１には、本実施の形態の映像表示システムが搭載された車輌における映像表示システムへの各種信号の入力に関する一例の概要を説明するためのブロック図を示す。
【００１７】
車輌９０には、バックカメラ７２、フロントカメラ７４、及びその他カメラ７６が備えられている。なお、車輌９０に備えられているカメラは特に限定されず任意であり、少なくとも車輌９０の後方を撮像することができるカメラが備えられていればよい。例えば、車載カメラは、アラウンドビューモニタであってもよい。なお、以下では、バックカメラ７２、フロントカメラ７４、及びその他カメラ７６を総称する場合は、「車載カメラ」と総称する。
【００１８】
バックカメラ７２、フロントカメラ７４、及びその他カメラ７６の起動は任意であり、車輌９０の起動に応じて起動してもよいし、ユーザ（運転者）からの指示に応じて起動してもよい。なお、本実施の形態では、上述のように車輌がバックする場合にバックカメラからの映像を高速に表示する機能を有しているため、バックカメラ７２は、車輌９０の起動と共に、またはバックギヤ７０と連動して起動することが好ましい。
【００１９】
選択部８０は、バックカメラ７２、フロントカメラ７４、及びその他カメラ７６から出力された映像信号から予め定められた条件に応じて選択した映像信号を映像表示システム１０に出力する機能を有する。本実施の形態の車輌９０では、選択部８０はバックギヤ７０と連動している。選択部８０は、バックギヤ７０が入った場合は、バックカメラ７２の映像信号を選択して映像表示システム１０に出力する。
【００２０】
イネーブル信号生成部８２は、映像表示システム１０の半導体装置１２における経路（信号選択）を制御するためのイネーブル信号を生成して出力する機能を有する。本実施の形態の車輌９０では、イネーブル信号生成部８２はバックギヤ７０と連動している。イネーブル信号生成部８２は、バックギヤが入った場合は、バックカメラ７２から入力された映像信号を選択してディスプレイに出力させるためのイネーブル信号（タイプＡ：詳細後述）を映像表示システム１０に出力する。
【００２１】
また、映像表示システム１０には、ユーザが有する携帯端末７８からデータ信号がＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ：図示省略）を介して入力される。なお、携帯端末７８から出力されるデータ信号は映像信号である場合も含むが、車載カメラから出力された映像信号と区別するため本実施の形態では「データ信号」と称する。
【００２２】
携帯端末７８としては、例えば、スマートフォンやタブレット等が挙げられる。なお、携帯端末７８に限らず、カーナビ、ＤＶＤプレーヤ、通信装置、及びネットワーク機器等であってもよい。本実施の形態では、携帯端末７８の具体的一例としてスマートフォン（以下、「スマホ」という）を用いた場合について説明する。
【００２３】
次に、本実施の形態の映像表示システム１０の構成について説明する。図２には、本実施の形態の映像表示システム１０の概略構成の一例を示す。本実施の形態の映像表示システム１０は、半導体装置１２、メインプロセッサ１４、及びディスプレイ１６を備える。ディスプレイ１６は、表示部の一例である。
【００２４】
本実施の形態のメインプロセッサ１４は、ＳｏＣ（Ｓｙｓｔｅｍ−ｏｎ−ａ−Ｃｈｉｐ）として構成されており、予め定められた画像処理を行う機能を有している。予め定められた画像処理としては、例えば、入力された映像信号やデータ信号に対して、メニュー画面や地図情報、文字等を合成する画像処理等が挙げられる。また、本実施の形態のメインプロセッサ１４は、ディスプレイ１６に応じたスケーリングを行う機能を有している。そのため、メインプロセッサ１４から出力されるデジタルのデータ信号は、ディスプレイ１６のサイズにスケーリングされている。メインプロセッサ１４からは画像処理が行われたデジタルのデータ信号及びデータクロックが半導体装置１２に出力される。
【００２５】
半導体装置１２は、ビデオデコーダ２０、セレクタ２３、スケーリング部２４、周波数拡散機能付ＰＬＬ（以下、ＳＳＣＰＬＬという）２６、セレクタ２８、メモリ３０、ＳＳＣＰＬＬ３２、セレクタ３４、画像調整部３６、描画機能部３８、ディスプレイＩ／Ｆ４０、入力部４２、入力部４４、入力部４６、入力部４８、出力部５０、出力部５２、及び出力部５４を備える。ＳＳＣＰＬＬ２６が第１処理部の一例であり、ＳＳＣＰＬＬ３２が第２処理部の一例であり、セレクタ３４が選択部の一例であり、入力部４４が第１入力部の一例であり、レジスタ４６が第２入力部の一例であり、入力部４２が第３入力部の一例であり、出力部５０が第１出力部の一例であり、出力部５４が第２出力部の一例である。
【００２６】
入力部４８には、イネーブル信号が入力される。入力されるイネーブル信号は、セレクタ２３、セレクタ２８、セレクタ３４、及び描画機能部３８に出力され、各部の動作を制御する制御信号として機能する。イネーブル信号は、セレクタ２３において映像信号及びデータ信号のいずれを選択するかを制御する。
【００２７】
また、イネーブル信号は、セレクタ２８においてＳＳＣＰＬＬ２６から出力されたクロック及びＳＳＣＰＬＬ３２から出力されたクロックのいずれを選択するかを制御する。また、イネーブル信号は、セレクタ３４においてスケーリング部２４から出力された信号及びメモリ３０から出力されたデジタル信号のいずれを選択するかを制御する。言い換えると、セレクタ２８及びセレクタ３４は、メインプロセッサ１４から入力された信号、及びメインプロセッサ１４を経由しない（直接入力された）信号のいずれかを選択して出力する。
【００２８】
各部での制御に応じて、本実施の形態のイネーブル信号には、以下の４つの種類（タイプ）がある。
【００２９】
タイプＡは、セレクタ２３が映像信号を選択し、セレクタ２８が直接入力されたクロックを選択する場合である。
【００３０】
タイプＢは、セレクタ２３が映像信号を選択し、セレクタ２８がメインプロセッサ１４から入力されたクロックを選択する場合である。
【００３１】
タイプＣは、セレクタ２３がデータ信号を選択し、セレクタ２８が直接入力されたクロックを選択する場合である。
【００３２】
タイプＤは、セレクタ２３がデータ信号を選択し、セレクタ２８がメインプロセッサ１４から入力されたクロックを選択する場合である。
【００３３】
入力部４４には、車載カメラから出力された映像信号が入力される。入力部４４に入力された映像信号は、ビデオデコーダ２０に出力される。ビデオデコーダ２０は、映像信号をデジタルデータ変換するデコード機能を有している。ビデオデコーダ２０からは、デコードされた映像信号及びデコーダクロックがセレクタ２３に出力される。
【００３４】
入力部４６には、携帯端末７８（スマホ）から出力されたデータ信号及びデータクロックが入力される。入力部４６に入力されたデータ信号は、セレクタ２３に出力される。
【００３５】
セレクタ２３は、イネーブル信号に応じて、信号を選択してスケーリング部２４及びＳＳＣＰＬＬ２６に出力する機能を有している。本実施の形態では、具体的一例としてセレクタ２３、セレクタ２８、及びセレクタ３４としてマルチプレクサを用いている。
【００３６】
セレクタ２３は、具体的には、イネーブル信号が上記タイプＡ及びタイプＢの場合は、ビデオデコーダ２０から出力された映像信号を選択してスケーリング部２４及び出力部５０に出力する。また、セレクタ２３は、ビデオデコーダ２０から出力されたデコーダクロックを選択してＳＳＣＰＬＬ２６に出力する。一方、イネーブル信号が上記タイプＣ及びタイプＤの場は、セレクタ２３は、スマホから入力されたデータ信号を選択してスケーリング部２４及び出力部５０に出力する。また、セレクタ２３は、スマホから入力されたデータクロックを選択してＳＳＣＰＬＬ２６に出力する。
【００３７】
ＳＳＣＰＬＬ２６は、ビデオデコーダ２０から出力されたデコーダクロックやスマホから入力されたデータクロックからディスプレイに出力するディスプレイクロックを生成する機能を有する。また、本実施の形態のＳＳＣＰＬＬ２６は、ビデオデコーダ２０から出力されたデコーダクロックやスマホから入力されたデータクロックの周波数に微少変調をかけることにより、出力するクロックのスペクトラムを拡散して、ＥＭＩのピーク値を低減する機能を有する。ＳＳＣＰＬＬ２６で周波数拡散され生成されたディスプレイクロックは、セレクタ２８に出力される。
【００３８】
ＳＳＣＰＬＬ２６は、入力される各種信号の各々の周波数に対応した値を格納するレジスタを備えており、入力された各種信号に応じたレジスタを選択し、当該レジスタに格納されている値を用いて周波数拡散処理を行う。レジスタの選択方法は、限定されるものではなく、任意であり、例えば、イネーブル信号に応じて選択するようにしてもよいし、セレクタ２３に連動して選択するようにしてもよい。ＳＳＣＰＬＬ２６は、ハードウエア資源として構成してもよいし、ソフトウエア的に構成してもよい。
【００３９】
スケーリング部２４は、ディスプレイ１６のサイズに合わせてスケーリング（表示領域の広さに合わせた拡大及び縮小）を行う機能を有している。スケーリング部２４でスケーリングされた映像信号またはデータ信号は、セレクタ３４及び出力部５０に出力される。
【００４０】
出力部５０からは、セレクタ２３から出力された信号、またはスケーリング部２４から出力された信号のいずれかが出力される。いずれが出力されるかは、例えばメインプロセッサ１４の機能に応じて予め定めておいてもよいし、外部から入力される制御信号に応じて選択された信号であってもよい。本実施の形態ではメインプロセッサ１４がスケーリング機能を備えているため、出力部５０からは、セレクタ２３から出力されたスケーリング前の信号（映像信号またはデータ信号）が出力される。なお、メインプロセッサ１４がスケーリング機能を備えていない場合は、スケーリング部２４から出力された信号（映像信号またはデータ信号）が出力部５０から出力されるようにするとよい。出力部５０から出力された信号（映像信号またはデータ信号）は、半導体装置１２の外部を経由してメインプロセッサ１４に入力される。
【００４１】
入力部４２には、メインプロセッサ１４からデータ信号及びクロックが入力される。入力部４２に入力されたデータ信号は、メモリ３０に出力される。また、入力部４２に入力されたクロックは、ＳＳＣＰＬＬ３２に出力される。
【００４２】
本実施の形態の半導体装置１２では、メインプロセッサ１４から入力されたクロックをそのままディスプレイクロックとして用いず、ＳＳＣＰＬＬ３２により生成したディスプレイクロックに乗り換える。クロックの乗せ換えにより生じる周波数の差分を吸収するために、メモリ３０は、メインプロセッサ１４から入力されたデータを格納する機能を有している。メモリ３０から出力されたデータ信号は、セレクタ３４に出力される。
【００４３】
ＳＳＣＰＬＬ３２は、上記ＳＳＣＰＬＬ２６と同様であり、メインプロセッサ１４から入力されたクロックの周波数に対して周波数拡散処理を行うことにより、ＥＭＩを低減する機能を有している。ＳＳＣＰＬＬ３２から出力したディプレイクロックは、セレクタ２８に出力される。
【００４４】
セレクタ２８は、上述したように、イネーブル信号に応じて、ＳＳＣＰＬＬ２６から出力されたディスプレイクロック及びＳＳＣＰＬＬ３２から出力されたディスプレイクロックのいずれかを選択して画像調整部３６及び出力部５４に出力する機能を有している。セレクタ２８から出力されたディスプレイクロックは、出力部５４を介してディスプレイ１６に出力される。
【００４５】
セレクタ３４は、上述したように、イネーブル信号に応じて、スケーリング部２４から出力された映像信号またはデータ信号、及びメモリ３０から出力されたデータ信号のいずれかを出力信号として選択して画像調整部３６に出力する機能を有している。
【００４６】
画像調整部３６は、出力信号に基づいてディスプレイ１６に表示される画像の明るさや色合い等の画質の調整を行う機能を有している。
【００４７】
描画機能部３８は、出力信号に基づいてディスプレイ１６に表示される画像に対して予め定められた描画処理を、イネーブル信号に応じて行う機能を有している。本実施の形態の描画機能部３８は、具体的には、車輌９０にバックギヤが入った場合はバックカメラ７２から直接入力された映像信号に基づく出力信号に対して描画処理を行い、その他の場合では、出力信号に対して描画処理を行わない。そのため、イネーブル信号がタイプＡの場合は、画像調整部３６から入力された出力信号を描画処理後、出力する。一方、イネーブル信号がタイプＢ〜Ｄの場合は、画像調整部３６から入力された出力信号をそのまま出力する。
【００４８】
バックカメラ７２から直接入力された映像信号に基づく画像、すなわちバックカメラ７２で撮像された映像をそのままディスプレイ１６に表示した場合、ユーザ（運転者）が車輌９０の位置や状態を認識しづらい場合がある。そのため、本実施の形態では、バックカメラ７２から直接入力された映像信号に基づく画像をディスプレイ１６に表示する場合は、ガイドラインや注意を喚起するための文字を映像と共に表示させる。そのため、描画機能部３８では、ガイドラインや注意を喚起するための文字の付加等の描画処理を行う。描画機能部３８で行われる描画処理は、メインプロセッサ１４で行われる画像処理よりも簡易的な処理である。そのため、描画機能部３８は、ソフトウエア的に構成してもよいし、ハードウエア資源で構成する場合は、ＣＰＵ等を要しない簡易的な構成でよい。
【００４９】
次に本実施の形態の映像表示システム１０の動作について説明する。上述したように、本実施の形態の映像表示システム１０の半導体装置１２は、イネーブル信号に応じて動作する。すなわち、半導体装置１２では、イネーブル信号に応じて各種信号が流れる経路が定まる。
【００５０】
まず、車輌９０において、イネーブル信号が映像表示システム１０の半導体装置１２に入力される流れについて説明する。図３には、イネーブル信号が映像表示システム１０の半導体装置１２に入力される流れの一例を表す流れ図を示す。図３に示した動作は、例えば、車輌９０が起動した場合に開始される。
【００５１】
バックギヤ７０が起動した場合（ステップＳ１００でＹ）は、バックギヤ７０の起動に連動してイネーブル信号生成部８２でタイプＡのイネーブル信号が生成され、生成されたイネーブル信号が半導体装置１２に入力される（ステップＳ１０２）。
【００５２】
一方、バックギヤ７０が起動していない場合（ステップＳ１００でＮ）は、予め定められた条件に応じてイネーブル信号生成部８２でタイプＢ〜タイプＤのイネーブル信号のいずれかが生成され、生成されたイネーブル信号が半導体装置１２に入力される（ステップＳ１０４）。
【００５３】
なお、本実施の形態では、バックギヤ７０が起動した場合のみタイプＡのイネーブル信号が半導体装置１２に入力されるようにしているが、その他の場合にもタイプＡのイネーブル信号が半導体装置１２に入力されるようにしてもよい。例えば、入力された映像信号やデータ信号をより高速にディスプレイ１６に表示させる場合や、メインプロセッサ１４での画像処理を行わずに映像信号やデータ信号をディスプレイ１６に表示させる場合等は、タイプＡのイネーブル信号が半導体装置１２に入力されるようにするとよい。
【００５４】
イネーブル信号の生成、及び生成されたイネーブル信号の映像表示システム１０の半導体装置１２への入力は繰り返され（ステップＳ１０６でＮ）、例えば、車輌９０の起動が停止する等、予め定められた条件が満たされると終了する（ステップＳ１０６でＹ）。
【００５５】
次に、映像表示システム１０において、入力された映像信号及びデータ信号を出力信号としてディスプレイ１６に出力する動作の流れについて説明する。図４には、入力された映像信号及びデータ信号を出力信号としてディスプレイ１６に出力する動作の流れの一例を表す流れ図を示す。図４に示した動作は、例えば、映像表示システム１０または半導体装置１２が起動した場合に開始される。映像表示システム１０（半導体装置１２）の起動は、車輌９０の起動と連動していてもよいし、カーナビ等からのユーザの指示に応じて起動するようにしてもよい。なお、本実施の形態の半導体装置１２では、バックギヤ７０が入った場合に、より高速にバックカメラ７２の映像をディスプレイ１６に表示させるため、車輌９０の起動またはバックカメラ７２の起動と連動することが好ましく、少なくともバックギヤ７０と連動して起動することが好ましい。
【００５６】
映像表示システム１０に入力部４４を介して入力された映像信号は、ビデオデコーダ２０によりデコードされ、デコードされた映像信号及びデコーダクロックがセレクタ２３に入力される。また、入力部４４を介して入力されたデータ信号及びデータクロックは、セレクタ２３に入力される。
【００５７】
入力部４８にイネーブル信号が入力されると、セレクタ２３は、イネーブル信号のタイプに応じて映像信号及びデコーダクロック、またはデータ信号及びデータクロックのいずれかを選択してスケーリング部２４及びＳＳＣＰＬＬ２６に出力する（ステップＳ２００）。
【００５８】
本実施の形態の映像表示システム１０では、セレクタ２３からは、イネーブル信号のタイプにかかわらず、選択した影像信号またはデータ信号をスケーリング部２４及び出力部５０の両方に出力される。イネーブル信号がタイプＡ及びタイプＣの場合は、スケーリング部２４に出力された映像信号またはデータ信号が出力信号となる。イネーブル信号がタイプＢ及びタイプＤの場合は、出力部５０に出力された映像信号またはデータ信号が出力信号となる。それぞれの場合について、信号が流れる経路を図示した図面を参照して詳細に説明する。
【００５９】
図５には、イネーブル信号がタイプＡ（バックカメラ７２から直接入力された映像信号をディスプレイ１６に出力する場合）の場合の信号経路を示した説明図を示す。イネーブル信号がタイプＡの場合は、スケーリング部２４に出力された映像信号に応じた出力信号、及びＳＳＣＰＬＬ２６に出力されたデコーダクロックがディスプレイ１６に出力される。
【００６０】
スケーリング部２４は、入力された映像信号をディスプレイ１６のサイズに応じてスケーリングして出力信号を生成し、出力信号をセレクタ３４に出力する（ステップ（Ｓ２０２）。また、ＳＳＣＰＬＬ２６は、入力されたデコーダクロックに、周波数に対応する周波数拡散処理を行った後、セレクタ２８に出力する（ステップＳ２０２）。
【００６１】
セレクタ２８では、ＳＳＣＰＬＬ２６から出力されたクロックをディスプレイクロックとして選択し（ステップＳ２１０）、選択したディスプレイクロックを、画像調整部３６及び出力部５４を介してディスプレイ１６に出力する。また、セレクタ３４では、スケーリング部２４から出力された映像信号を出力信号として選択して画像調整部３６に出力する（ステップＳ２１０）。
【００６２】
画像調整部３６では、入力された出力信号（映像信号）に画像調整処理を行い、描画機能部３８に出力する（ステップＳ２１２）。
【００６３】
描画機能部３８では、イネーブル信号がタイプＡであるため（ステップＳ２１４でＹ）、描画処理を行い（ステップＳ２１６）、描画処理を行った出力信号（映像信号）をディスプレイＩ／Ｆ４０及び出力部５２を介してディスプレイ１６に出力する（ステップＳ２１８）。
【００６４】
このようにタイプＡの場合は、ディスプレイ１６には、バックカメラ７２の映像信号が出力信号として出力部５２を介して入力される。また、ディスプレイ１６には、ＳＳＣＰＬＬ２６により周波数拡散処理されたディスプレイクロックが出力部５４を介して入力される。
【００６５】
なお、イネーブル信号がタイプＣの場合は、スマホから入力部４６を介して入力されたデータ信号及びデータクロックがセレクタ２３で選択され、描画機能部３８で描画処理を行わない（ステップＳ２１４でＮ、ステップＳ２１８に進む）点で、タイプＡの場合と異なっている。タイプＣの場合のその他の信号経路はタイプＡと同様である。ディスプレイ１６には、スマホのデータ信号が出力信号として出力部５２を介して入力される。また、ディスプレイ１６には、ＳＳＣＰＬＬ２６により周波数拡散処理されたディスプレイクロックが出力部５４を介して入力される。
【００６６】
一方、イネーブル信号がタイプＢ及びタイプＤの場合は、出力部５０に出力されたデータ信号がメインプロセッサ１４に入力される。
【００６７】
図６には、イネーブル信号がタイプＢ（いずれかの車載カメラから入力された映像信号をメインプロセッサ１４で画像処理を施した後、ディスプレイ１６に出力する場合）の信号経路を示した説明図を示す。
【００６８】
出力部５０からは、セレクタ２３で選択された信号がメインプロセッサ１４に出力される（ステップＳ２０４）。タイプＢの場合は、映像信号がメインプロセッサ１４に出力される。メインプロセッサ１４は、入力された映像信号に予め定められた画像処理を行うと共にスケーリングを行ってデータ信号を生成する。メインプロセッサ１４で生成されたデータ信号及びクロックが入力部４２を介して半導体装置１２に入力される（ステップＳ２０６）。この際、半導体装置１２に入力されるクロックは、周波数拡散されていない状態にある。
【００６９】
メモリ３０には、データ信号が入力され、格納される。ＳＳＣＰＬＬ３２には、クロックが入力され、周波数拡散処理が行われる（ステップＳ２０８）。メモリ３０からはデータ信号がセレクタ３４に出力され、ＳＳＣＰＬＬ３２からはディスプレイクロックがセレクタ２８に出力される。
【００７０】
セレクタ２８では、ＳＳＣＰＬＬ３２から出力されたクロックをディスプレイクロックとして選択し（ステップＳ２１０）、選択したディスプレイクロックを、画像調整部３６及び出力部５４を介してディスプレイ１６に出力する。また、セレクタ３４では、メモリ３０から出力された信号（映像信号）を出力信号として選択して画像調整部３６に出力する（ステップＳ２１０）。
【００７１】
画像調整部３６では、入力された出力信号（映像信号）に画像調整処理を行い、描画機能部３８に出力する（ステップＳ２１２）。
【００７２】
イネーブル信号がタイプＢの場合は、タイプＡの場合と異なり、描画機能部３８で描画処理を行わない（ステップＳ２１４でＮ、ステップＳ２１８に進む）。半導体装置１２では、描画機能部３８に入力された信号（映像信号）をそのままディスプレイＩ／Ｆ４０及び出力部５２を介してディスプレイ１６に出力する（ステップＳ２１８）。
【００７３】
このようにタイプＢの場合は、ディスプレイ１６には、メインプロセッサ１４から入力された信号（映像信号）が出力信号として出力部５２を介して入力される。また、ディスプレイ１６には、ＳＳＣＰＬＬ３２により周波数拡散処理されたディスプレイクロックが出力部５４を介して入力される。
【００７４】
なお、イネーブル信号がタイプＤの場合は、スマホから入力部４６を介して入力されたデータ信号及びデータクロックがセレクタ２３で選択される点で、タイプＢの場合と異なっている。タイプＤの場合のその他の信号経路はタイプＢと同様である。ディスプレイ１６には、メインプロセッサ１４から入力された信号（データ信号）が出力信号として出力部５２を介して入力される。また、ディスプレイ１６には、ＳＳＣＰＬＬ３２により周波数拡散処理されたディスプレイクロックが出力部５４を介して入力される。
【００７５】
入力された映像信号及びデータ信号に基づいた画像をディスプレイ１６に表示させるための上記処理動作は繰り返され（ステップＳ２２０でＮ）、例えば、車輌９０の起動が停止した場合等、予め定められた条件が満たされると終了する（ステップＳ２２０でＹ）。
【００７６】
以上説明したように本実施の形態の映像表示システム１０では、メモリ３０及びＳＳＣＰＬＬ３２を備えている。半導体装置１２には、車載カメラから入力部４４を介して映像信号が入力され、スマホ等の携帯端末７８から入力部４６を介してデータ信号及びデータクロックが入力される。また、半導体装置１２には、メインプロセッサ１４から入力部４２を介してデータ信号及びクロックが入力される。半導体装置１２は、入力部４４を介して入力された映像信号及びデコーダクロックに応じた出力信号、または入力部４６を介して入力されたデータ信号及びデータクロックに応じた出力信号を、メインプロセッサ１４を経由せずディスプレイ１６に出力する場合、ＳＳＣＰＬＬ２６により周波数拡散処理が行われたディスプレイクロックを出力部５４を介してディスプレイ１６に出力する。一方、半導体装置１２は、入力部４２を介してメインプロセッサ１４から入力されたデータ信号及びクロックに応じた出力信号をディスプレイ１６に出力する場合、ＳＳＣＰＬＬ３２により周波数拡散処理が行われたディスプレイクロックを出力部５４を介してディスプレイ１６に出力する。
【００７７】
図７に示した従来の映像表示システム１００の半導体装置１１２では、メインプロセッサ１４から入力されたデータ信号は、そのままセレクタ３４を介して画像調整部３６に入力され、画像調整部３６により画像調整された出力信号をディスプレイ１６に出力していた。また、メインプロセッサ１４から入力されたクロックはそのままセレクタ２８及び出力部５４を介してディスプレイクロックとしてディスプレイ１６に出力されていた。すなわち、従来の半導体装置１１２では、周波数拡散処理が行われないディスプレイクロックがディスプレイ１６に出力されていた。そのため、メインプロセッサ１４から入力されたデータ信号及びクロックをディスプレイ１６に出力する場合は、ＥＭＩが低減されないという問題が生じていた。
【００７８】
一方、上述のように本実施の形態の映像表示システム１０の半導体装置１２では、入力部４２、入力部４４、及び入力部４６のいずれから入力された信号（映像信号またはデータ信号）であるかにかかわらず、周波数拡散処理が行われたディスプレイクロックをディスプレイ１６に出力する。従って、本実施の形態の映像表示システム１０では、入力信号の種類によらずＥＭＩを低減することができる。また、本実施の形態の映像表示システム１０では、周波数が異なる入力信号に対して適切にＥＭＩを低減することができる。
【００７９】
また、本実施の形態の映像表示システム１０では、バックカメラ７２から直接入力された映像信号をディスプレイ１６に出力する場合（イネーブル信号がタイプＡの場合）は、メインプロセッサ１４を介さずに直接入力された映像信号により生成された出力信号をディスプレイ１６に出力している。また、この場合は、描画機能部３８で出力信号に描画処理を行い、その他の場合は、描画機能部３８で描画処理を行わない。従って、本実施の形態の映像表示システム１０では、バックカメラ７２で撮影された映像をディスプレイ１６に表示させる場合は、高速で影像の表示が行えると共に、撮影そのままの影像ではなくガイドライン等の情報をユーザ（運転者）に表示することができる。
【００８０】
なお、上記実施の形態では、映像表示システム１０の外部で生成されたイネーブル信号が半導体装置１２に入力される場合について説明したが、イネーブル信号は、映像表示システム１０の外部に限らず、内部で生成してもよい。例えば、メインプロセッサ１４の動作に応じて、メインプロセッサ１４または映像表示システム１０内部のその他の生成部で生成され、入力部４８を介して半導体装置１２に入力されるようにしてもよい。
【００８１】
また、上記実施の形態では、セレクタ３４がスケーリング部２４から入力された映像信号を選択した場合に描画機能部３８で描画処理を行っているがこれに限らず、例えば、セレクタ３４がスケーリング部２４から入力されたデータ信号もメインプロセッサ１４による画像処理が行われないため、当該データ信号に対しても描画機能部３８で描画処理を行ってもよい。なお、少なくとも、セレクタ３４がスケーリング部２４から入力された映像信号を選択した場合は描画機能部３８で描画処理を行うことが好ましい。
【００８２】
また、上記実施の形態では、メインプロセッサ１４を経由せずに直接入力されたバックカメラ７２からの映像信号をディスプレイ１６に出力する場合として、バックギヤ７０が起動した場合について説明したが、これに限定されない。例えば、車輌９０の起動やバックカメラ７２の起動に連動してもよいし、ユーザから指示された場合であってもよい。
【００８３】
また、半導体装置１２に入力される映像信号及びデータ信号の種類や数等は上記実施の形態に限らず、任意である。また同様に、これらの信号が入力される入力部の数等も上記実施の形態に限らず、任意である。
【００８４】
また、上記実施の形態では、映像表示システム１０を車載カメラの映像を表示する映像表示システムに適用する場合について説明したが、これに限らず、例えば、汎用セキュリティシステムにおけるドアホンに適用してもよい。
【００８５】
また、その他の上記各実施の形態で説明した映像表示システム１０、半導体装置１２、車輌９０の構成、動作等は一例であり、本発明の主旨を逸脱しない範囲内において状況に応じて変更可能であることはいうまでもない。
【符号の説明】
【００８６】
１０  映像表示システム
１２  半導体装置
１４  メインプロセッサ
１６  ディスプレイ
２４  スケーリング部
２６  ＳＳＣＰＬＬ
３０  メモリ
３２  ＳＳＣＰＬＬ
３８  描画機能部
４２、４４、４６  入力部
５０、５２  出力部
７０  バックギヤ
７２  バックカメラ
９０  車輌
【図１】
2019082727.tif 000003
【図２】
2019082727.tif 000004
【図３】
2019082727.tif 000005
【図４】
2019082727.tif 000006
【図５】
2019082727.tif 000007
【図６】
2019082727.tif 000008
【図７】
2019082727.tif 000009